(57)【要約】【課題】煩雑な操作をおこなうことなく訪問地の印象を記録すること。【解決手段】情報記録装置１００は、所定の地物に対するコメントを記録する。位置情報取得部１０１は、自装置が搭載された移動体の現在位置情報を取得する。位置判断部１０２は、所定の地物から所定範囲内に移動体が位置するか否かを判断する。音声解析部１０３は、移動体が所定の地物から所定範囲内に位置する場合、移動体の搭乗者の発話の内容を継続的に解析する。関連性判断部１０４は、音声解析部１０３による解析結果に基づいて、発話の内容が所定の地物に関するものか否かを判断する。記録部１０５は、発話の内容が所定の地物に関するものであると判断された場合、所定の地物と発話の内容とを関連付けて記録する。【選択図】図１
2011179917.tif 000002
【特許請求の範囲】
【請求項１】
所定の地物に対するコメントを記録する情報記録装置であって、
自装置が搭載された移動体の現在位置情報を取得する位置情報取得手段と、
前記所定の地物から所定範囲内に前記移動体が位置するか否かを判断する位置判断手段と、
前記移動体が前記所定の地物から前記所定範囲内に位置する場合、前記移動体の搭乗者の発話の内容を継続的に解析する音声解析手段と、
前記音声解析手段による解析結果に基づいて、前記発話の内容が前記所定の地物に関するものか否かを判断する関連性判断手段と、
前記関連性判断手段によって前記発話の内容が前記所定の地物に関するものであると判断された場合、前記所定の地物と前記発話の内容とを関連付けて記録する記録手段と、
を備えることを特徴とする情報記録装置。
【請求項２】
前記関連性判断手段は、前記搭乗者の発話に、前記所定の地物を示す語句と、前記所定の地物を形容する語句と、が含まれるか否かに基づいて前記判断をおこなうことを特徴とする請求項１に記載の情報記録装置。
【請求項３】
前記記録手段はさらに、前記発話がされた地点の位置情報を、前記所定の地物および前記発話の内容と関連付けて記録することを特徴とする請求項１または２に記載の情報記録装置。
【請求項４】
前記記録手段は、前記発話の内容として前記発話の音声データを記録することを特徴とする請求項１〜３のいずれか一つに記載の情報記録装置。
【請求項５】
前記所定の地物を検索する検索手段と、
前記検索手段によって前記所定の地物が検索された場合、前記所定の地物に関連付けられた前記発話の内容を提示する提示手段と、
を備えることを特徴とする請求項１〜４のいずれか一つに記載の情報記録装置。
【請求項６】
前記記録手段は、前記発話がおこなわれた日時情報を前記発話の内容と関連付けて記録し、
前記提示手段は、提示する前記発話の内容を、前記日時情報に基づいて決定することを特徴とする請求項５に記載の情報記録装置。
【請求項７】
前記音声解析手段は、前記搭乗者の発話の音量を解析し、
前記記録手段は、前記発話の音量に関する情報を前記発話の内容と関連付けて記録し、
提示手段は、提示する前記発話の内容を、前記音量に関する情報に基づいて決定することを特徴とする請求項１〜６のいずれか一つに記載の情報記録装置。
【請求項８】
前記記録手段において前記所定の地物と関連付けられている前記発話の内容を、情報提供サーバへ送信する送信手段と、
他の移動体の搭乗者による前記所定の地物に関する発話の内容を、前記情報提供サーバから受信する受信手段と、
を備えることを特徴とする請求項１〜７のいずれか一つに記載の情報記録装置。
【請求項９】
所定の地物に対するコメントを記録する情報記録装置における情報記録方法であって、
前記情報記録装置が搭載された移動体の現在位置情報を取得する位置情報取得工程と、
前記所定の地物から所定範囲内に前記移動体が位置するか否かを判断する位置判断工程と、
前記移動体が前記所定の地物から前記所定範囲内に位置する場合、前記移動体の搭乗者の発話の内容を継続的に解析する音声解析工程と、
前記音声解析工程での解析結果に基づいて、前記発話の内容が前記所定の地物に関するものか否かを判断する関連性判断工程と、
前記関連性判断工程で前記発話の内容が前記所定の地物に関するものであると判断された場合、前記所定の地物と前記発話の内容とを関連付けて記録する記録工程と、
を含んだことを特徴とする情報記録方法。
【請求項１０】
請求項９に記載の情報記録方法をコンピュータに実行させることを特徴とする情報記録プログラム。
【請求項１１】
請求項１０に記載の情報記録プログラムを記録したコンピュータに読み取り可能な記録媒体。
【発明の詳細な説明】
【技術分野】
【０００１】
この発明は、所定の地物に対するコメントを記録する情報記録装置、情報記録方法、情報記録プログラムおよび記録媒体に関する。ただし、この発明の利用は、上述した情報記録装置、情報記録方法、情報記録プログラムおよび記録媒体に限られない。
【背景技術】
【０００２】
従来、移動体に搭載されたナビゲーション装置において、特定の地物に訪問した際、その地物に対するコメントを記録する技術が知られている（たとえば、下記特許文献１参照）。下記特許文献１には、特定地点（特定地物）へ訪問した場合、音声ガイダンスによってその地物の印象を問い合わせ、回答したユーザの印象情報に基づいて、訪問地を地点登録リストに登録するナビゲーション装置が示されている。
【先行技術文献】
【特許文献】
【０００３】
【特許文献１】特開２００８−１２８９０８号公報
【発明の概要】
【発明が解決しようとする課題】
【０００４】
しかしながら、上述した従来技術では、ナビゲーション装置からの問い合わせがなければ、地物の印象を登録することができないという問題点が一例として挙げられる。上述した従来技術では、ナビゲーション装置から問い合わせをおこなうことにより、地点登録にかかるユーザの操作負担を軽減しているが、たとえば、ユーザが登録したいと思う地物に対して問い合わせがおこなわれなかったり、問い合わせのタイミングが適切でなく、ユーザの実際の印象と異なる印象情報が登録されてしまったりする可能性がある。
【０００５】
また、上述した従来技術では、あらかじめ定められた地物に対する印象を登録できるのみであり、ユーザ自身が印象深いと感じた地点を特定して地物に対する印象を登録することができないという問題点が一例として挙げられる。たとえば、富士山など広い範囲から眺めることが可能な地物の場合、周辺の各地点における眺望は季節や時間帯などによって変化する。上述した従来技術では、異なる地点や季節、時間帯などにおける地物の印象の変化を反映することができない。
【課題を解決するための手段】
【０００６】
上述した課題を解決し、目的を達成するため、請求項１の発明にかかる情報記録装置は、所定の地物に対するコメントを記録する情報記録装置であって、自装置が搭載された移動体の現在位置情報を取得する位置情報取得手段と、前記所定の地物から所定範囲内に前記移動体が位置するか否かを判断する位置判断手段と、前記移動体が前記所定の地物から前記所定範囲内に位置する場合、前記移動体の搭乗者の発話の内容を継続的に解析する音声解析手段と、前記音声解析手段による解析結果に基づいて、前記発話の内容が前記所定の地物に関するものか否かを判断する関連性判断手段と、前記関連性判断手段によって前記発話の内容が前記所定の地物に関するものであると判断された場合、前記所定の地物と前記発話の内容とを関連付けて記録する記録手段と、を備えることを特徴とする。
【０００７】
また、請求項９の発明にかかる情報記録方法は、所定の地物に対するコメントを記録する情報記録装置における情報記録方法であって、前記情報記録装置が搭載された移動体の現在位置情報を取得する位置情報取得工程と、前記所定の地物から所定範囲内に前記移動体が位置するか否かを判断する位置判断工程と、前記移動体が前記所定の地物から前記所定範囲内に位置する場合、前記移動体の搭乗者の発話の内容を継続的に解析する音声解析工程と、前記音声解析工程での解析結果に基づいて、前記発話の内容が前記所定の地物に関するものか否かを判断する関連性判断工程と、前記関連性判断工程で前記発話の内容が前記所定の地物に関するものであると判断された場合、前記所定の地物と前記発話の内容とを関連付けて記録する記録工程と、を含んだことを特徴とする。
【０００８】
また、請求項１０の発明にかかる情報記録プログラムは、請求項９に記載の情報記録方法をコンピュータに実行させることを特徴とする。
【０００９】
また、請求項１１の発明にかかる記録媒体は、請求項１０に記載の情報記録プログラムをコンピュータに読み取り可能な状態で記録したことを特徴とする。
【図面の簡単な説明】
【００１０】
【図１】実施の形態にかかる情報記録装置の機能的構成を示すブロック図である。
【図２】情報記録装置による情報記録処理の手順を示すフローチャートである。
【図３】実施例にかかる情報提供システム３００のシステム構成を示す説明図である。
【図４】ナビゲーション装置のハードウェア構成を示すブロック図である。
【図５】ナビゲーション装置によるコメント記録処理の手順を示すフローチャートである。
【図６】ナビゲーション装置における音声認識処理の手順を示すフローチャートである。
【図７】ナビゲーション装置によるコメント提示処理の手順を示すフローチャートである。
【発明を実施するための形態】
【００１１】
以下に添付図面を参照して、この発明に係る情報記録装置、情報記録方法、情報記録プログラムおよび記録媒体の好適な実施の形態を詳細に説明する。
【００１２】
（実施の形態）
図１は、実施の形態にかかる情報記録装置の機能的構成を示すブロック図である。実施の形態にかかる情報記録装置１００は、車両などの移動体に搭載されており、自装置が搭載された移動体が訪れた、または近傍を通過した所定の地物（以下、「対象地物」という）に対するコメントを記録する。コメントとは、たとえば、対象地物を訪れた感想や対象地物を形容する形容詞、対象地物を訪れた際に起きた出来事、対象地物の近隣の施設などの情報である。
【００１３】
情報記録装置１００は、位置情報取得部１０１、位置判断部１０２、音声解析部１０３、関連性判断部１０４、記録部１０５、検索部１０６、提示部１０７、送信部１０８、受信部１０９によって構成される。
【００１４】
位置情報取得部１０１は、自装置が搭載された移動体の現在位置情報を取得する。位置情報取得部１０１は、たとえば、ＧＰＳ衛星から受信したＧＰＳ情報や移動体に設けられている各種センサの出力値などを用いて、移動体の現在位置を算出する。
【００１５】
位置判断部１０２は、対象地物から所定範囲内に移動体が位置するか否かを判断する。所定範囲とは、たとえば、対象地物の代表地点から所定距離以内の範囲や、移動体内部から対象地点が見える範囲などである。所定範囲は、対象地物ごとに異なっていてもよい。また、対象地物は複数あってもよい。
【００１６】
音声解析部１０３は、移動体が対象地物から所定範囲内に位置する場合、移動体の搭乗者の発話の内容を継続的に解析する。音声解析部１０３は、たとえば、マイクなどで移動体内部の音声を取得し、音声認識技術を用いて搭乗者の発話の内容を解析する。音声解析部１０３は、移動体が対象地物から所定範囲内に位置する間は継続的に搭乗者の発話の内容を解析し、所定範囲内に位置しなくなった場合には、発話の内容の解析を停止する。
【００１７】
また、音声解析部１０３は、搭乗者の発話の音量を解析してもよい。これは、搭乗者の発話の音量が大きいほど、発話の内容に対応する感情が大きいと判断できるためである。音声解析部１０３によって解析された音量に関する情報は、後述する記録部１０５に発話の内容と関連付けて記録される。
【００１８】
関連性判断部１０４は、音声解析部１０３による解析結果に基づいて、発話の内容が対象地物に関するものか否かを判断する。関連性判断部１０４は、たとえば、搭乗者の発話に、対象地物を示す語句と、対象地物を形容する語句と、が含まれるか否かに基づいて判断をおこなう。対象地物を示す語句とは、たとえば、対象地物の名称、略称、俗称、指示語などである。また、対象地物を形容する語句とは、たとえば「きれい」「すごい」「大きい」などの形容詞などである。対象地物を形容する語句は、対象地物ごとに候補が選定されていてもよい。なお、関連性判断部１０４は、対象地物を形容する語句ではなく、対象地物に対する動作を示す語句に基づいて判断をおこなってもよい。対象地物に対する動詞を示す語句とは、たとえば、対象地物を主語または目的語としたときの「行く」「泊まる」「食べる」などの動作や状態を示す動詞である。すなわち、関連性判断部１０４は、対象地物に対する形容詞及び動詞を含む用言に基づいて判断をおこなってもよい。
【００１９】
記録部１０５は、関連性判断部１０４によって発話の内容が対象地物に関するものであると判断された場合、対象地物と発話の内容とを関連付けて記録する。すなわち、記録部１０５は、搭乗者が対象地物に関する発話をおこなった場合は、当該発話の内容を対象地物に関連付けて記録する。記録部１０５は、たとえば、発話の内容をテキストデータに変換し、当該テキストデータを対象地物と関連付けて記録する。また、記録部１０５は、たとえば発話の内容として発話の音声データを記録してもよい。
【００２０】
また、記録部１０５は、対象地物および発話の内容と関連付けて、当該発話がされた地点の位置情報を記録するようにしてもよい。これにより、たとえば対象地物を形容する語句が「きれい」である場合、いずれの位置から対象地物を見れば「きれい」であるのかを特定することができる。
【００２１】
また、記録部１０５は、発話がおこなわれた日時情報を発話の内容と関連付けて記録してもよい。この場合、後述する提示部１０７は、提示する発話の内容を、日時情報に基づいて決定する。具体的には、提示部１０７は、たとえば現在日時に最も近い日時にされた発話を優先的に提示したり、現在日時と同じ時間帯や季節にされた発話を優先的に提示したりする。
【００２２】
検索部１０６は、対象地物を検索する。検索部１０６は、たとえばユーザから対象地物の指定を受け付け、指定された対象地物を検索する。対象地物の指定は、たとえば対象地物の名称やジャンル、対象地物が位置するエリア（住所、緯度経度）などを指定することによっておこなう。
【００２３】
提示部１０７は、検索部１０６によって対象地物が検索された場合、対象地物に関連付けられた発話の内容を提示する。提示部１０７は、たとえば、前述のように発話がされた日時情報に基づいて、提示する発話の内容の優先順位を決定してもよい。また、発話の内容に音量に関する情報が関連付けられている場合、提示部１０７は、音量に関する情報に基づいて、提示する発話の内容の優先順位を決定してもよい。具体的には提示部１０７は、たとえば音量が大きい発話ほど優先的に提示する。
【００２４】
送信部１０８は、記録部１０５において対象地物と関連付けられている発話の内容を、情報提供サーバへ送信する。情報提供サーバは、情報記録装置１００を含め、各地を移動する移動体に搭載された情報記録装置から、それぞれの搭乗者による発話の内容を受信し、たとえば対象地物ごとに、各情報記録装置の搭乗者の発話の内容を記録する。
【００２５】
受信部１０９は、他の移動体の搭乗者による対象地物に関する発話の内容を、情報提供サーバから受信する。受信部１０９は、たとえば、ユーザから対象地物の指定を受け付け、指定された対象地物に関する他の移動体の搭乗者による発話の内容の送信要求を、情報提供サーバに送信する。そして、受信部１０９は、送信要求に応じて情報提供サーバから送信された他の移動体の搭乗者による発話の内容を受信する。受信部１０９によって受信された他の移動体の搭乗者による発話の内容は、たとえば、提示部１０７を介して搭乗者に提示される。
【００２６】
つぎに、情報記録装置１００による情報記録処理について説明する。図２は、情報記録装置による情報記録処理の手順を示すフローチャートである。図２のフローチャートにおいて、情報記録装置１００は、まず、位置情報取得部１０１によって、移動体の現在位置情報を取得する（ステップＳ２０１）。つぎに、情報記録装置１００は、位置判断部１０２によって、移動体の現在位置が対象地物から所定範囲内に位置するか否かを判断する（ステップＳ２０２）。
【００２７】
移動体の現在位置が対象地物から所定範囲内に位置しない場合（ステップＳ２０２：Ｎｏ）、情報記録装置１００は、ステップＳ２０１に戻り、以降の処理をくり返す。一方、移動体の現在位置が対象地物から所定範囲内に位置する場合（ステップＳ２０２：Ｙｅｓ）、情報記録装置１００は、音声解析部１０３によって、移動体の搭乗者の発話の内容を解析する（ステップＳ２０３）。
【００２８】
つづいて、情報記録装置１００は、関連性判断部１０４によって、搭乗者の発話の内容が対象地物に関するものか否かを判断する（ステップＳ２０４）。搭乗者の発話の内容が対象地物に関するものである場合（ステップＳ２０４：Ｙｅｓ）、記録部１０５は、発話の内容を対象地物と関連付けて記録する（ステップＳ２０５）。一方、搭乗者の発話の内容が対象地物に関するものではない場合は（ステップＳ２０４：Ｎｏ）、ステップＳ２０６に移行する。
【００２９】
情報記録装置１００は、移動体の現在位置が対象地物から所定範囲内に位置しなくなるまで（ステップＳ２０６：Ｎｏ）、ステップＳ２０３に戻り、以降の処理をくり返す。そして、移動体の現在位置が対象地物から所定範囲内に位置しなくなると（ステップＳ２０６：Ｙｅｓ）、本フローチャートによる処理を終了する。
【００３０】
以上説明したように、実施の形態にかかる情報記録装置１００は、自装置が搭載された移動体が対象地物から所定範囲内に位置する場合、搭乗者によって対象地物に関する発話がおこなわれたか否かを判断し、対象地物に関する発話がおこなわれた場合は、当該発話の内容を記録する。これにより、ユーザは、煩雑な操作をおこなうことなく対象地物に関する発話の内容を記録することができる。また、発話の内容を記録することによって、ユーザは、対象地物の印象や次回以降の訪問時に有益な情報などを参照することができる。
【００３１】
また、情報記録装置１００は、搭乗者の発話に、対象地物を示す語句と対象地物を形容する語句とが含まれるか否かによって、対象地物に関する発話がおこなわれたかを判断する。これにより、搭乗者の発話が対象地物に関するものであるか否かの判断精度を向上させることができる。
【００３２】
また、情報記録装置１００は、発話がされた地点の位置情報を、発話の内容と関連付けて記録する。これにより、発話の内容がどの地点における対象地物の印象であるかを特定することができる。また、記録された発話の内容を参照する際、参照時における移動体の位置に基づいて、提示する発話の内容を決定することができる。
【００３３】
また、情報記録装置１００は、発話の内容として発話の音声データを記録する。音声データを参照することによって、ユーザは、発話がおこなわれた際の状況をより詳細に把握することができる。
【００３４】
また、情報記録装置１００は、対象地物の検索がおこなわれた場合、対象地物に関連付けられた発話の内容を提示する。これにより、ユーザは、たとえば目的地点を決定する際や対象地物に向かう際に有益な情報を得ることができる。このとき、発話がおこなわれた日時情報に基づいて提示する発話の内容を決定することとすれば、参照時における日時に近い時間に発話された内容を決定することができる。また、発話の音量に関する情報に基づいて発話の内容を決定することとすれば、より重要な情報を優先的に提示できる可能性が高くなる。
【００３５】
さらに、情報記録装置１００において、他の移動体の搭乗者による対象地物に関する発話の内容を情報提供サーバから受信することとすれば、自装置が搭載された移動体が行ったことがない地物に関する印象や感想の情報などを得ることができる。
【実施例】
【００３６】
以下に、本発明の実施例について説明する。本実施例では、実施の形態にかかる情報記録装置１００を、車両に搭載されたナビゲーション装置３１０として、本発明を適用した一例について説明する。
【００３７】
図３は、実施例にかかる情報提供システム３００のシステム構成を示す説明図である。情報提供システム３００は、車両３１１に搭載されたナビゲーション装置３１０、情報提供サーバ３２０、ネットワーク３３０によって構成される。
【００３８】
ナビゲーション装置３１０は、車両３１１に搭載され、ユーザから指定された目的地点までの経路探索や、目的地点までの経路誘導などをおこなう。ナビゲーション装置３１０は、後述するように磁気ディスクなどの記録部４０５（図４参照）を搭載しており、この記録媒体に記録された地図データを用いて経路探索や経路誘導などをおこなう。
【００３９】
また、ナビゲーション装置３１０の記録部４０５には、車両３１１が訪れた地物や近隣を通過した地物（対象地物）に対するコメントのデータ（コメント情報）が記録される。対象地物の一例としては、たとえば、観光地や歴史的建造物、景勝地などが挙げられる。対象地物に対するコメントとは、たとえば、対象地物を訪れた感想や対象地物を形容する形容詞、対象地物を訪れた際に起きた出来事、対象地物の近隣の施設などの情報である。ナビゲーション装置３１０は、自装置が搭載された車両３１１の搭乗者（すなわち、ナビゲーション装置３１０のユーザ）のコメント情報のみならず、後述する情報提供サーバ３２０から他の車両の搭乗者のコメント情報を受信して、記録部４０５に記録してもよい。
【００４０】
情報提供サーバ３２０は、ナビゲーション装置３１０に対して、各地の地物に関するコメントのデータ（コメント情報）を提供する。具体的には、情報提供サーバ３２０は、各地を走行する車両３１１のナビゲーション装置３１０から、各地の地物に関するコメント情報を受信する。情報提供サーバ３２０は、ナビゲーション装置３１０から受信したコメント情報を、地物ごとに記録する。また、情報提供サーバ３２０は、ナビゲーション装置３１０から所定の地物に関するコメント情報の送信要求を受信すると、送信要求をおこなったナビゲーション装置３１０に対して、他のナビゲーション装置３１０から受信したコメント情報を送信する。
【００４１】
ナビゲーション装置３１０のユーザは、情報提供サーバ３２０から情報の提供を受けることにより、他のナビゲーション装置３１０のユーザの対象地物に対するコメントを参照することができる。なお、他のナビゲーション装置３１０のユーザによるコメントを参照できる地物は、ナビゲーション装置３１０のユーザが自ら訪れた場所のみならず、訪問を検討している地物などであってもよい。
【００４２】
なお、本実施例においては、情報提供サーバ３２０を設けることとしたが、ナビゲーション装置３１０において記録している情報のみを用いて処理をおこなってもよい。
【００４３】
（各構成部のハードウェア構成）
つぎに、情報提供システム３００の各構成部のハードウェア構成について説明する。図４は、ナビゲーション装置のハードウェア構成を示すブロック図である。ナビゲーション装置３１０は、ＣＰＵ４０１、ＲＯＭ４０２、ＲＡＭ４０３、各種データを記録／再生する記録再生部４０４、各種データを記録する記録部４０５、音声Ｉ／Ｆ（インターフェース）４０６、マイク４０７、スピーカ４０８、入力デバイス４０９、映像Ｉ／Ｆ４１０、ディスプレイ４１１、カメラ４１２、通信Ｉ／Ｆ４１３、ＧＰＳユニット４１４を備えている。各構成部４０１〜４１４は、バス４２０によってそれぞれ接続されている。
【００４４】
ＣＰＵ４０１は、ナビゲーション装置３１０の全体の制御を司る。ＲＯＭ４０２は、ブートプログラム、経路誘導プログラム、施設検索プログラムなどの各種プログラムソフトを記録している。ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、ナビゲーション装置３１０の全体の制御を司る。
【００４５】
記録再生部４０４は、ＣＰＵ４０１の制御に従って記録部４０５に対するデータの読み取り／書き込みを制御する。記録部４０５は、記録再生部４０４の制御で書き込まれたデータを記録する。記録再生部４０４としては、たとえば、磁気ディスクドライブや光ディスクドライブ、記録部４０５としては、たとえば、ＨＤ（ハードディスク）、ＦＤ（フレキシブルディスク）、フラッシュメモリ、ＭＯ、ＳＳＤ（Ｓｏｌｉｄ  Ｓｔａｔｅ  Ｄｉｓｋ）、メモリカードなどを用いることができる。
【００４６】
記録部４０５に記録される情報の一例としては、たとえば地図データ（地図データベース）が挙げられる。地図データは、経路誘導プログラムによる経路誘導処理や施設検索プログラムによる施設検索処理などに用いられる。地図データは、建物、河川、地表面などの地物（フィーチャ）をあらわす背景データや、道路の形状をあらわす道路形状データなどによって構成されている。
【００４７】
また、記録部４０５に記録される情報の他の例としては、各地の地物に対するコメント情報が挙げられる。地物に関するコメント情報は、ナビゲーション装置３１０のユーザが当該地物を訪れた際に記録したコメントを示すデータであってもよいし、他のナビゲーション装置３１０のユーザが当該地物を訪れた際に記録したコメントを示すデータを、情報提供サーバ３２０を介して受信したものであってもよい。それぞれの地物に対するコメント情報は、たとえば、地図データ中の当該地物に関する情報と関連付けて保存される。
【００４８】
図４の説明に戻り、音声Ｉ／Ｆ４０６は、音声入力用のマイク４０７および音声出力用のスピーカ４０８に接続される。音声Ｉ／Ｆ４０６は、再生が指示された音声データをＤ／Ａ変換して、スピーカ４０８から音声として出力させる。なお、スピーカ４０８は、ナビゲーション装置３１０から着脱可能であってもよいし、ナビゲーション装置３１０の本体から離れた場所にあってもよい。マイク４０７は、たとえば、車両のサンバイザー付近に設置され、ユーザの発話などを集音し、音声Ｉ／Ｆ４０６に出力する。マイク４０７に集音された音声は、音声Ｉ／Ｆ４０６内でＡ／Ｄ変換される。
【００４９】
入力デバイス４０９は、文字、数値、各種指示などの入力のための複数のキーを備えたリモコン、キーボード、およびタッチパネルなどによって構成される。入力デバイス４０９は、リモコン、キーボード、タッチパネルのうちいずれか１つの形態によって実現されてもよいが、複数の形態によって実現することも可能である。
【００５０】
映像Ｉ／Ｆ４１０は、ディスプレイ４１１およびカメラ４１２に接続される。映像Ｉ／Ｆ４１０は、具体的には、たとえば、ディスプレイ４１１を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ４１１を制御する制御ＩＣなどによって構成される。
【００５１】
ディスプレイ４１１には、地図データやアイコン、カーソル、メニュー、ウィンドウ、あるいは文字や画像などの各種データが表示される。また、ディスプレイ４１１の表面にはセンサが設けられており、物体の接近および接触を検知することによって入力デバイス４０９（タッチパネル）として利用される。また、ディスプレイ４１１は、車両３１１内に複数（たとえば、ダッシュボード付近と後部座席側など）設けられていてもよく、それぞれのディスプレイ４１１で異なる情報を出力できるようにしてもよい。
【００５２】
カメラ４１２は、ナビゲーション装置３１０が搭載された車両３１１の内部あるいは外部の映像を撮影する。カメラ４１２で撮影する映像は静止画あるいは動画のどちらでもよい。カメラ４１２によって撮影された映像は、映像Ｉ／Ｆ４１０を介して記録部４０５などに記録される。
【００５３】
通信Ｉ／Ｆ４１３は、無線通信を用いてネットワークに接続され、ネットワークを介したデータの送受信を可能とする。通信Ｉ／Ｆ４１３を用いることにより、ナビゲーション装置３１０は、たとえば地物に関するコメント情報や渋滞情報などを送受信することが可能となる。通信網には、ＬＡＮ、ＷＡＮ、公衆回線網や携帯電話網などがある。
【００５４】
ＧＰＳユニット４１４は、ＧＰＳ衛星からの電波を受信し、ナビゲーション装置３１０が搭載された車両３１１の現在地点を示す情報を出力する。また、ＧＰＳユニット４１４は、速度センサ、加速度センサ、角速度センサなどの各種センサを備える。ＧＰＳユニット４１４の出力情報は、ＣＰＵ４０１によるナビゲーション装置３１０の現在地点の算出に際して利用される。現在地点を示す情報は、たとえば緯度・経度、高度などの、地図データ上の１点を特定する情報である。
【００５５】
また、情報提供サーバ３２０は、上述したナビゲーション装置３１０の構成のうち、少なくともＣＰＵ４０１、ＲＯＭ４０２、ＲＡＭ４０３、記録再生部４０４、記録部４０５、通信Ｉ／Ｆ４１３を備えていればよい。
【００５６】
図１に示した情報記録装置１００の各構成部は、図４におけるＲＯＭ４０２、ＲＡＭ４０３、記録部４０５などに記録されたプログラムやデータを用いて、ＣＰＵ４０１が所定のプログラムを実行し、各部を制御することによってその機能を実現する。
【００５７】
（情報提供システム３００による情報提供）
つぎに、情報提供システム３００による情報提供の概要について説明する。上述のように、情報提供システム３００において、ナビゲーション装置３１０は、対象地物に対するコメント情報を記録する。また、情報提供サーバ３２０は、ナビゲーション装置３１０に対して、各地の地物に関する情報を提供する。ナビゲーション装置３１０のユーザは、情報提供サーバ３２０からコメント情報の提供を受けることにより、他のナビゲーション装置３１０のユーザの対象地物に対するコメントを参照することができる。
【００５８】
これらのコメント情報は、たとえば、ナビゲーション装置３１０における施設検索時に参考情報として提示されたり、対象地物の周辺を車両３１１が通りかかった際に参考情報として提示される。これにより、ナビゲーション装置３１０のユーザは、施設検索によって検索された施設（対象地物）の印象を参照したり、車両３１１の走行中に周辺に位置する注目すべき地物の情報を参照することができる。
【００５９】
図５は、ナビゲーション装置によるコメント記録処理の手順を示すフローチャートである。図５のフローチャートにおいて、ナビゲーション装置３１０は、自装置を搭載した車両３１１が走行を開始するまで待機する（ステップＳ５０１：Ｎｏのループ）。車両３１１が走行を開始すると（ステップＳ５０１：Ｙｅｓ）、ナビゲーション装置３１０は、ＧＰＳユニット４１４からの出力値などを用いて、車両３１１の現在位置情報を算出する（ステップＳ５０２）。
【００６０】
つぎに、ナビゲーション装置３１０は、車両３１１の現在位置が対象地物の周辺領域内にあるか否かを判断する（ステップＳ５０３）。周辺領域とは、対象地物の代表地点から所定距離以内の範囲や、移動体内部から対象地点が見える範囲などである。周辺領域の範囲は、対象地物ごとに異なっていてもよい。また、異なる対象地物の周辺領域が重複していてもよい。すなわち、１つの地点が複数の対象地物の周辺領域となっていてもよい。周辺領域の範囲を示すデータは、たとえば、地図データ内の各地物に関するデータに関連付けられている。
【００６１】
車両３１１の現在位置が対象地点の周辺領域内にない場合（ステップＳ５０３：Ｎｏ）、ナビゲーション装置３１０は、ステップＳ５１１に移行する。
【００６２】
一方、車両３１１の現在位置が対象地点の周辺領域内にある場合（ステップＳ５０３：Ｙｅｓ）、ナビゲーション装置３１０は、マイク４０７をオンにして、車両３１１の搭乗者の発話を受け付ける（ステップＳ５０４）。ナビゲーション装置３１０は、搭乗者によって発話がおこなわれると（ステップＳ５０５：Ｙｅｓ）、マイク４０７で集音した音声（発話）の内容を音声認識し（ステップＳ５０６）、発話の内容が対象地物に関するものであるか否かを判断する（ステップＳ５０７）。なお、ステップＳ５０６およびＳ５０７の処理の詳細は後述する。
【００６３】
発話の内容が対象地物に関するものである場合（ステップＳ５０７：Ｙｅｓ）、ナビゲーション装置３１０は、対象地物に関するコメントとして発話の内容を記録する（ステップＳ５０８）。具体的には、ナビゲーション装置３１０は、たとえば、地図データ内に含まれる対象地物に関する情報と発話の内容とを関連付けてコメント情報として記録する。
【００６４】
このとき、ナビゲーション装置３１０は、コメント情報とともに、当該コメントが発話された地点の位置情報を記録してもよい。位置情報を記録することによって、たとえば、遠方からでも視認可能な地物について、よりきれいに見られる地点の情報を記録したり、安全に車両３１１を駐車できる場所の情報などを記録することができる。
【００６５】
同様に、コメント情報とともに、当該コメントが発話された日時（季節、曜日、時間帯など）情報を記録してもよい。日時情報を記録することにより、コメント情報を参照する際に、参照時における日時と条件が近いコメント情報を優先して提示することができる。
【００６６】
さらに、コメント情報とともに、当該コメントが発話された際の音量情報（搭乗者の声の大きさの情報）を記録してもよい。コメントを発話する際、一般には、感嘆の度合いや重要度が高いほど発話音量が大きくなると考えられる。音量情報を記録することにより、コメント情報を参照する際に、より重要なコメント情報を優先して提示することができる。
【００６７】
また、記録する発話の内容は、たとえば、テキストデータなど発話内容を文字に変換したデータであってもよいし、搭乗者の発話を録音した音声データであってもよい。
【００６８】
また、ナビゲーション装置３１０は、当該発話の内容を対象地物に関するコメントとして情報提供サーバ３２０に送信する（ステップＳ５０９）。ナビゲーション装置３１０からコメントを受信した情報提供サーバ３２０は、受信したコメントを対象地物ごとに記録する。なお、情報提供サーバ３２０に対してコメントを送付するか否かは、任意に設定できてもよい。
【００６９】
一方、ステップＳ５０７において、発話の内容が対象地物に関するものでない場合（ステップＳ５０７：Ｎｏ）、ナビゲーション装置３１０は、ステップＳ５１０に移行する。また、ステップＳ５０５において、搭乗者による発話がおこなわれない場合も（ステップＳ５０５：Ｎｏ）、ステップＳ５１０に移行する。
【００７０】
つづいて、ナビゲーション装置３１０は、車両３１１の現在位置が対象地物の周辺領域から出たか否かを判断する（ステップＳ５１０）。周辺領域から出ていない場合（ステップＳ５１０：Ｎｏ）、ナビゲーション装置３１０は、ステップＳ５０４に戻り、以降の処理をくり返す。
【００７１】
一方、周辺領域から出た場合（ステップＳ５１０：Ｙｅｓ）、ナビゲーション装置３１０は、車両３１１が走行を終了したか否かを判断する（ステップＳ５１１）。車両３１１が走行を終了するまで（ステップＳ５１１：Ｎｏ）、ナビゲーション装置３１０は、ステップＳ５０２に戻り、以降の処理をくり返す。そして、車両３１１が走行を終了すると（ステップＳ５１１：Ｙｅｓ）、本フローチャートによる処理を終了する。
【００７２】
つづいて、図５におけるステップＳ５０６およびＳ５０７の処理、すなわち、ナビゲーション装置３１０における音声認識処理の詳細について説明する。図６は、ナビゲーション装置における音声認識処理の手順を示すフローチャートである。図６のフローチャートにおいて、ナビゲーション装置３１０は、まず、マイク４０７を介して、搭乗者の発話音声を集音する（ステップＳ６０１）。
【００７３】
つぎに、ナビゲーション装置３１０は、発話音声から構文を構成する単語列を抽出する（ステップＳ６０２）。つづいて、ナビゲーション装置３１０は、それぞれの単語の意味を照合して、発話の構文解析をおこなう（ステップＳ６０３）。構文解析の結果、ステップＳ６０１で集音した発話音声で構文が成立する場合は（ステップＳ６０４：Ｙｅｓ）、ステップＳ６０５に移行する。
【００７４】
一方、構文が成立しない場合は（ステップＳ６０４：Ｎｏ）、ステップＳ６０１に戻り、再度発話音声の集音をおこなう。２番目以降に集音された発話音声は、それまで集音された発話音声に含まれる単語列とともに構文解析される。これは、ユーザが途切れ途切れに話した場合など、１つの文が連続する音声として発話されないことがあるためである。なお、所定回数以上の集音をくり返しても構文が成立しない場合は、それまで集音した音声から抽出した単語列をクリアしてあらたに集音を開始したり、１番始めに集音した音声の単語列をクリアして２番目以降に集音した音声の単語列によって構文解析をし直してもよい。
【００７５】
ステップＳ６０４で構文が成立した場合、ナビゲーション装置３１０は、構文中の体言がエリア語彙辞書に含まれる語か否かを判断する（ステップＳ６０５）。エリア語彙辞書とは、対象地物をあらわす語彙が登録された辞書であり、対象地物の正式名称や略称、俗称、代名詞などが登録される。たとえば、対象地物が「東京タワー」の場合、固有名詞（正式名称）である「東京タワー」や、略称や俗称である「タワー」「塔」、代名詞「あれ」「あの」などが、対象地物を示す語句として登録されている。
【００７６】
構文中の体言がエリア語彙辞書に含まれる語の場合（ステップＳ６０５：Ｙｅｓ）、ナビゲーション装置３１０は、構文中の用言が感情語彙辞書に含まれる語か否かを判断する（ステップＳ６０６）。感情語彙辞書とは、対象地物を形容する語句や感情を示す語句が登録された辞書である。具体的には、たとえば、「大きい」「きれい」「すごい」などの語句が挙げられる。なお、感情語彙辞書は、対象地物ごとに語句が登録されていてもよい。なお、ステップＳ６０６において、ナビゲーション装置３１０は、構文中の用言が動作語彙辞書に含まれる語か否かを判断してもよい。動作語彙辞書とは、対象地物に対する動作を示す語句が登録された辞書である。具体的には、たとえば「行く」「泊まる」「食べる」などの語句が挙げられる。
【００７７】
構文中の用言が感情語彙辞書に含まれる語の場合（ステップＳ６０６：Ｙｅｓ）、ナビゲーション装置３１０は、搭乗者の発話が対象地物に関する構文であると判断して（ステップＳ６０７）、本フローチャートの処理を終了する。一方、構文中の体言がエリア語彙辞書に含まれる語ではない場合や（ステップＳ６０５：Ｎｏ）、構文中の用言が感情語彙辞書に含まれる語ではない場合は（ステップＳ６０６：Ｎｏ）、搭乗者の発話が対象地物に関する構文ではないと判断して（ステップＳ６０８）、本フローチャートの処理を終了する。
【００７８】
つぎに、記録したコメント情報を利用する際の処理について説明する。図７は、ナビゲーション装置によるコメント提示処理の手順を示すフローチャートである。図７のフローチャートでは、コメント情報を利用形態の一例として、施設検索時に当該施設に対するコメントを提示する場合の処理を示している。
【００７９】
図７のフローチャートにおいて、ナビゲーション装置３１０は、まず、ユーザから施設検索の指示があるまで待機する（ステップＳ７０１：Ｎｏのループ）。施設検索の指示があると（ステップＳ７０１：Ｙｅｓ）、ナビゲーション装置３１０は、検索条件の入力を受け付け（ステップＳ７０２）、検索条件に適合する施設を検索する（ステップＳ７０３）。
【００８０】
つぎに、ナビゲーション装置３１０は、自装置の記録部４０５に、ステップＳ７０３で検索した施設（以下、「検索施設」という）に関するコメント情報が記録されているか否かを判断する（ステップＳ７０４）。検索施設のコメント情報が記録されている場合（ステップＳ７０４：Ｙｅｓ）、ナビゲーション装置３１０は、検索施設のコメント情報を読み出す（ステップＳ７０５）。一方、コメント情報が記録されていない場合は（ステップＳ７０４：Ｎｏ）、ステップＳ７０６に移行する。
【００８１】
つづいて、ナビゲーション装置３１０は、検索施設のコメント情報を情報提供サーバ３２０から受信するか否かを判断する（ステップＳ７０６）、情報提供サーバ３２０からコメント情報を受信するか否かは、あらかじめユーザに設定させておいてもよいし、その都度ユーザに確認してもよい。
【００８２】
コメント情報を受信する場合（ステップＳ７０６：Ｙｅｓ）、ナビゲーション装置３１０は、情報提供サーバ３２０から検索施設のコメント情報を受信する（ステップＳ７０７）。ナビゲーション装置３１０は、たとえば、検索施設の名称や住所などの情報を含むコメント送信要求を情報提供サーバ３２０に送信し、当該送信要求に対応して情報提供サーバ３２０から送信されたコメント情報を受信する。
【００８３】
一方、情報提供サーバ３２０からコメント情報を受信しない場合は（ステップＳ７０６：Ｎｏ）、ステップＳ７０８に移行する。
【００８４】
そして、ナビゲーション装置３１０は、ステップＳ７０５で読み出したコメント情報およびステップＳ７０７で受信したコメント情報（いずれかのみを取得した場合は、取得した方のコメント情報）を提示して（ステップＳ７０８）、本フローチャートによる処理を終了する。なお、ステップＳ７０５およびステップＳ７０７のいずれにおいてもコメント情報を取得しなかった場合は、ステップＳ７０８の処理をおこなわずに本フローチャートの処理を終了する。
【００８５】
なお、ステップＳ７０８でコメント情報を提示する際、コメント情報とともに当該コメントが発話された地点の位置情報が記録されている場合は、車両３１１の現在位置に近い地点において発話されたコメントを優先的に提示してもよい。
【００８６】
また、ステップＳ７０８において、たとえば、コメント情報とともに当該コメントが発話された日時情報が記録されている場合は、発話からの経過時間が最も短いコメント情報を提示したり、コメント提示時との日時属性（たとえば、季節や時間帯、曜日など）が類似するコメント情報を優先的に提示してもよい。
【００８７】
さらに、ステップＳ７０８において、たとえば、コメント情報とともに当該コメントが発話された際の音量情報が記録されている場合は、より大きい音量で発話されたコメント情報を提示してもよい。
【００８８】
この他、たとえば、車両３１１の走行中に周辺の地物に対するコメントを提示する場合、ステップＳ７０１〜Ｓ７０３の処理に代えて、周辺に地物があるか否かを判断する処理、すなわち周辺にある所定の地物から所定範囲に位置するか否かを判断する処理をおこない、当該所定の地物を検索施設と読み替えて以降の処理をおこなえばよい。
【００８９】
以上説明したように、実施例にかかるナビゲーション装置３１０は、自装置が搭載された車両３１１が対象地物の周辺領域内に位置する場合、搭乗者によって対象地物に関する発話がおこなわれたか否かを判断し、対象地物に関する発話がおこなわれた場合は、当該発話の内容を記録する。これにより、ユーザは、煩雑な操作をおこなうことなく対象地物に関する発話の内容を記録することができる。また、発話の内容を記録することによって、ユーザは、対象地物の印象や次回以降の訪問時に有益な情報などを参照することができる。
【００９０】
また、ナビゲーション装置３１０は、搭乗者の発話に、対象地物を示す語句（エリア語彙辞書に含まれる語）と対象地物を形容する語句（感情語彙辞書に含まれる語）とが含まれるか否かによって、対象地物に関する発話がおこなわれたかを判断する。これにより、搭乗者の発話が対象地物に関するものであるか否かの判断精度を向上させることができる。
【００９１】
また、ナビゲーション装置３１０は、発話がされた地点の位置情報を、発話の内容と関連付けて記録する。これにより、発話の内容がどの地点における対象地物の印象であるかを特定することができる。また、記録された発話の内容を参照する際、参照時における車両３１１の位置に基づいて、提示する発話の内容を決定することができる。
【００９２】
また、ナビゲーション装置３１０は、発話の内容として発話の音声データを記録する。音声データを参照することによって、ユーザは、発話がおこなわれた際の状況をより詳細に把握することができる。
【００９３】
また、ナビゲーション装置３１０は、対象地物の検索がおこなわれた場合、対象地物に関連付けられた発話の内容を提示する。これにより、ユーザは、たとえば目的地点を決定する際や対象地物に向かう際に有益な情報を得ることができる。このとき、発話がおこなわれた日時情報に基づいて提示する発話の内容を決定することとすれば、参照時における日時に近い時間に発話された内容を決定することができる。また、発話の音量に関する情報に基づいて発話の内容を決定することとすれば、より重要な情報を優先的に提示できる可能性が高くなる。
【００９４】
さらに、ナビゲーション装置３１０において、他の車両３１１の搭乗者による対象地物に関する発話の内容を情報提供サーバ３２０から受信することとすれば、自装置が搭載された車両３１１が行ったことがない地物に関する印象や感想の情報などを得ることができる。
【００９５】
なお、本実施の形態で説明した情報記録方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００９６】
１００  情報記録装置
１０１  位置情報取得部
１０２  位置判断部
１０３  音声解析部
１０４  関連性判断部
１０５  記録部
１０６  検索部
１０７  提示部
１０８  送信部
１０９  受信部
【図１】
2011179917.tif 000003
【図２】
2011179917.tif 000004
【図３】
2011179917.tif 000005
【図４】
2011179917.tif 000006
【図５】
2011179917.tif 000007
【図６】
2011179917.tif 000008
【図７】
2011179917.tif 000009